(57)【要約】【課題】家庭用薄葉紙収納箱の配列を容易に確認することが出来るとともに、より低コストで且つ見映えの良い図柄表示が可能な家庭用薄葉紙収納箱積層体を提供する【解決手段】内部にティシューペーパー１０４を収納する収納箱１〜５が複数積層されてなる収納箱積層体１００において、各収納箱の側面に異なる第１の図柄が設けられ、複数の収納箱が積層された場合に、各家収納箱の側面に設けられた第１の図柄が合わさって全体として一つのまとまりのある第２の図柄が形成されるように構成する。【選択図】図１
2005153898.tif 000002
【特許請求の範囲】
【請求項１】
内部に家庭用薄葉紙を収納する家庭用薄葉紙収納箱が複数積層されてなる家庭用薄葉紙収納箱積層体において、
各家庭用薄葉紙収納箱の側面に互いに異なる第１の図柄が設けられ、当該複数の家庭用薄葉紙収納箱が積層された場合に、各家庭用薄葉紙収納箱の側面に設けられた第１の図柄が合わさって全体として一つのまとまりのある第２の図柄が形成されるように構成されていることを特徴とする家庭用薄葉紙収納箱積層体。
【請求項２】
前記各家庭用薄葉紙収納箱の側面に設けられた第１の図柄は、各々一つのまとまりのある図柄となっていることを特徴とする請求項１記載の家庭用薄葉紙収納箱積層体。
【請求項３】
一の家庭用薄葉紙収納箱の側面に設けられた第１の図柄と連続する他の一の家庭用薄葉紙収納箱の側面に設けられた第１の図柄が、前記一の家庭用薄葉紙収納箱の他の面に設けられていることを特徴とする請求項１又は２記載の家庭用薄葉紙収納箱積層体。
【発明の詳細な説明】
【技術分野】
【０００１】
本発明は、複数の家庭用薄葉紙収納箱が積層されてなる家庭用薄葉紙収納箱積層体に関する。
【背景技術】
【０００２】
従来、ティシューペーパー等の家庭用薄葉紙は、テーブルや鏡台の上で一つのボックス単位で使用されるものであることから、個々の家庭用薄葉紙収納箱（例えば、特許文献１）についてのデザインに工夫が凝らされてきた。
一方で、店頭にて販売される際には、家庭用薄葉紙収納箱を複数個（３個ないしは５個であることが多い）積重ねた状態（家庭用薄葉紙収納箱積層体）でフィルム等によって包装した上で陳列するため、個々の家庭用薄葉紙収納箱のデザインを重視しながら、複数個積重ねた状態でも統一感のあるデザインが施されてきた。
例えば、５個を一組として店頭に陳列する場合、図８に示すように、各々のベース色を異ならせることによって５個パックとなった際の統一感を確保していた。また、家庭用薄葉紙収納箱積層体を包装したフィルムに、商品特徴などの図柄を印刷したり、ラベルを貼付することによって、全体の統一感をより高め、店頭でも映えるよう工夫がなされてきた。
【特許文献１】特開２００３−２２６３３９号公報
【発明の開示】
【発明が解決しようとする課題】
【０００３】
しかし、家庭用薄葉紙収納箱を複数個積重ねた状態でフィルムで包装する場合、その製造工程において、機械によるチェックが必要であった。つまり、例えば５個を一組とした場合に、商品を積重ねた順番、即ち配列に間違いがないことを、センサーを用いて確認する必要があった。詳細には、各商品に施されたベース色である５つの色を確認することでチェックが行われる。従って、製造工程中にセンサーによるチェック工程を設ける必要があり、工程そのものを煩雑にしてしまうという問題があった。
また、フィルムに商品特徴などの図柄を印刷したり、ラベルを貼付することはコストがかかるとともに、家庭用薄葉紙収納箱の商品名表示や図柄と重なるため見映えが悪いという問題があった。
【０００４】
そこで、本発明の課題は、家庭用薄葉紙収納箱の配列を容易に確認することが出来るとともに、より低コストで且つ見映えの良い図柄表示が可能な家庭用薄葉紙収納箱積層体を提供することである。
【課題を解決するための手段】
【０００５】
前述した課題を解決するために、請求項１に記載の発明は、内部に家庭用薄葉紙を収納する家庭用薄葉紙収納箱が複数積層されてなる家庭用薄葉紙収納箱積層体において、各家庭用薄葉紙収納箱の側面に互いに異なる第１の図柄が設けられ、当該複数の家庭用薄葉紙収納箱が積層された場合に、各家庭用薄葉紙収納箱の側面に設けられた第１の図柄が合わさって全体として一つのまとまりのある第２の図柄が形成されるように構成されていることを特徴とする。
【０００６】
ここで、「まとまりのある図柄」とは、図、柄、絵、コンセプトやモチーフ等のことであって、視認した際に全体が繋がっており、統一感のある印象を与える図柄のことを指す。
【０００７】
請求項２に記載の発明は、請求項１に記載の家庭用薄葉紙収納箱積層体において、前記各家庭用薄葉紙収納箱の側面に設けられた第１の図柄は、各々一つのまとまりのある図柄となっていることを特徴とする。
【０００８】
請求項３に記載の発明は、請求項１又は２に記載の家庭用薄葉紙収納箱積層体において、一の家庭用薄葉紙収納箱の側面に設けられた第１の図柄と連続する他の一の家庭用薄葉紙収納箱の側面に設けられた第１の図柄が、前記一の家庭用薄葉紙収納箱の他の面に設けられていることを特徴とする。
【発明の効果】
【０００９】
請求項１に記載の発明によれば、複数の家庭用薄葉紙収納箱の側面に互いに異なる第１の図柄が設けられ、さらに複数の家庭用薄葉紙収納箱を積層することによって、全体として一つのまとまりのある第２の図柄を形成することが出来る。
これにより、製造工程において、家庭用薄葉紙収納箱を積み上げて、最終チェックを行う際に、センサーなどで各家庭用薄葉紙収納箱に配されたベース色を確認してその配列を確認する必要がなくなり、全体の図柄が上下していないか、印刷が抜けていないか、という点を、目視であっても容易に確認することが出来、製造工程を簡単にすることが出来る。
また、複数の家庭用薄葉紙収納箱を積層することで、第１の異なる図柄とは異なる、まとまりのある第２の図柄が現れるため、充分な統一感を生み出すこととなる。これにより、改めて包装用フィルムに、コンセプトや統一感を表すための印刷を施す必要がなくなるため、印刷コストを抑えることが出来る。
さらに、各家庭用薄葉紙収納箱に設けられた、異なる第１の図柄が、家庭用薄葉紙収納箱を積層することによって家庭用薄葉紙収納箱の複数の側面を利用したまとまりのある第２の図柄を形成するため、店頭に並んだ際の見映えが格段に向上し、ユーザーに強力に訴えかけることが出来る。
【００１０】
請求項２に記載の発明によれば、請求項１に記載の効果が得られるのは当然のこと、家庭用薄葉紙収納箱が単独で存在していても、まとまりのある図柄を表すこととなり、単独で存在していても外観性を損ねることがなくなる。
【００１１】
請求項３に記載の発明によれば、請求項１又は２に記載の効果が得られるのは当然のこと、家庭用薄葉紙収納箱の側面及びその他の面に亘ってまとまりのある図柄が設けられることとなり、単独で存在しているときであっても優れた外観性を維持することが出来る。
【発明を実施するための最良の形態】
【００１２】
［実施形態１］
以下、図面を参照して、本発明に係る家庭用薄葉紙収納箱積層体の実施形態１を説明する。
図１は、本願発明の実施形態１の家庭用薄葉紙（以下、「ティシューペーパー」という。）収納箱積層体の側面図である。
また、図２は、使用状態のティシューペーパー収納箱を示す斜視図である。
図１、２に示すティシューペーパー収納箱（以下、「収納箱」という。）１〜５は、例えば長辺の長さが２００〜２５０ｍｍ、短辺の長さが１００〜１２０ｍｍ、高さが５０〜１２０ｍｍの略直方体状に形成された収納箱であり、この収納箱１内に、ティシューペーパー１０４が収納されている。
【００１３】
収納箱１は、図２に示すように、その上面１ａにティシューペーパー１０４を取出すための取出し口１０１が設けられている。通常、最初の使用時に収納箱１の上面１ａに設けられたループ状のミシン目に沿って、収納箱１の一部を切り取ることで、取出し口１０１が露出するようになっている。取出し口１０１は、中央部に長手方向に沿ってスリットが設けられたフィルム１０２により覆われている。
【００１４】
ティシューペーパー１０４は、例えば、２枚が１組とされ、１組１組が継続して箱から取り出せるように交互に折り重ねられており、ティシューペーパー１組を外へ引き出したときに、次のティシューペーパー１組がその上端が取出口１１よりも突出する位置まで収納箱１の内部から引き出される折り方となっている。
【００１５】
ここで、収納箱１の上面１ａに対して、側面及び底面は、以下の様に定義される。
上面１ａが有する長辺１０１ａ、１０１ａを共有する２つの面が、長側面１ｂ、１ｃであって、上面１ａが有する短辺１０１ｂ、１０１ｂを共有する２つの面が、短側面１ｄ、１ｅであって、上面１ａと辺を共有しない面が、底面１ｆである。
【００１６】
図１において、収納箱１は、５個で一組の家庭用薄葉紙積層体としての積層体１００を形成し、その配列は、最下段に収納箱５が配され、収納箱５の上面に収納箱４の底面が当接するように収納箱４が積重ねられ、以降同様に収納箱３、収納箱２、収納箱１の順番に積重ねられたものである。
【００１７】
ユーザーがティシューペーパー１０４を使用する際、底面１ｆを下側にして商品を載置し、上面１ａの取出し口１０１からティシューペーパーを取出すことによって使用するのが一般的である。
収納箱１を販売する場合も、一般的に使用される方向、つまり、底面１ｆを下に、上面１ａを上に向けた方向で、複数個の収納箱を積重ね、フィルムで包装して一組として店頭に並べられる。従って、店頭においては、側面、中でも特に広い面積を有する長側面１ｂ、１ｃがユーザーの目に留まりやすくなる。
【００１８】
ここで、本願発明の特徴である、収納箱のデザインについて説明する。
図３は、図２のティシューペーパーの収納箱１の展開図である。
収納箱１の長側面１ｂには、商品名の他に、第１の図柄として、まとまりのある風景画の図柄がカラフルな色使いで描かれている。同様に長側面１ｃにもまとまりのある風景画の図柄が描かれている。上面１ａには長側面１ｂ、１ｃに描かれた図柄とは異なる図柄が印刷され、短側面１ｄ、１ｅには収納箱１に固有の色が施されている。底面１ｆには商品名や注意事項、コンセプト、使用方法、商品形状などが印刷されている。
更に、収納箱２、３、４及び５についても、各収納箱の長側面２ｂ、３ｂ、４ｂ及び５ｂには、第１の図柄として、それぞれ異なるまとまりのある風景画の図柄が描かれている。また、長側面２ｂ、３ｂ、４ｂ、５ｂと反対側の長側面についても同様の図柄が描かれている。
つまり、各々の収納箱にそれぞれ異なる、まとまりのある風景画の図柄が描かれている。
【００１９】
ここで、例えば収納箱５の長側面５ｂに描かれた図柄から収納箱４の長側面４ｂに描かれた図柄にかけては、水辺の景色が連続的に施されており、長側面５ｂと４ｂは一枚の絵として認識することが出来る。
湖に浮かぶ小島と、そこに建てられた白壁の家と、その上を飛ぶかもめが描かれた長側面５ｂに、長側面４ｂに描かれた、湖の湖畔に立つ青い屋根の家、桟橋、椰子の木とプールの図柄を組み合わせることによって、図柄に広がりが出て、一枚の絵画のような広がりを有している。
【００２０】
さらに、長側面３ｂに描かれた丘の景色は、長側面２ｂに描かれた丘の景色と連続するものであって、長側面２ｂに描かれた丘のラインは連続的に長側面１ｂに描かれた丘に繋がっている。つまり、長側面３ｂ、２ｂ、１ｂに描かれた図柄は、３つの側面を用いて一つのまとまりのある図柄を形成している。さらに、長側面１ｂ、２ｂ、３ｂ、４ｂ、５ｂに印刷された図柄が合わさって全体として一つのまとまりのある第２の図柄である風景画を形成している。
【００２１】
収納箱１、２、３、４、５は、その長側面１ｂ、２ｂ、３ｂ、４ｂ、５ｂ個別でも、まとまりのある第１の図柄である風景画が形成されているのみならず、長側面１ｂ、２ｂ、３ｂ、４ｂ、５ｂが合わさることでもまとまりのある第２の図柄である風景画が形成されることとなる。
【００２２】
また、収納箱１の長側面１ｂ、１ｃのどちらにも同様のまとまりのある風景画の図柄が描かれているため、店頭に陳列する際には長側面１ｂ、１ｃのどちらをユーザーの目に留まる向きにしても構わない。
【００２３】
以上に説明した実施形態１の収納箱１によれば、収納箱１の長側面１ｂ、１ｃに、積重ねられた状態で下に、収納箱２、３、４の長側面２ｂ、３ｂ、４ｂにおいては積重ねられた状態で上下に、収納箱５の長側面５ｂにおいては積重ねられた状態で上に、位置する収納箱と繋がった図柄を印刷し、各収納箱を積重ねて一組としたことによって、側面から積層体１００を視認した際に、全体で一つのまとまった図柄を視認出来ることとなる。
これにより、製造工程において、収納箱を積み上げて、最終チェックを行う際に、センサーなどで各収納箱に配されたベース色を確認してその配列を確認する必要がなくなり、全体の図柄が上下していないか、印刷が抜けていないか、という点を確認すれば足りることとなり、人の目による確認であっても容易に確認することが出来、製造工程を簡単にすることが出来る。
また、複数の収納箱を積層することで、第１の異なる図柄とは異なる、まとまりのある第２の図柄が現れるため、積層状態で充分な統一感を生み出すこととなる。これにより、改めて包装用フィルムに、コンセプトや統一感を表すための印刷を施す必要がなくなるため、印刷コストを低減することが出来る。
さらに、各収納箱に設けられた、異なる第１の図柄が、収納箱を積層することによって収納箱の複数の側面を利用したまとまりのある第２の図柄を形成するため、店頭に並んだ際の見映えが格段に向上し、ユーザーに強力に訴えかけることが出来る。
さらに、側面に施された図柄は、上下に積重ねられた包装体の側面に印刷された図柄と連動しつつも、単独で存在していても、まとまりのある一つの図柄であるために、使用時も外観性を損ねることがなく、また個別に販売する場合にも支障がない。
【００２４】
［実施形態２］
次に、実施形態２に係る積層体２００について説明する。
積層体２００を構成する収納箱６、７、８、９、１０は、長側面に施された図柄が実施形態１の収納箱と異なる。従って、実施形態２を説明するにあたり、上記実施形態１と同様の構成については、同一の符号を付し、説明は省略する。
図４は本願発明の実施形態２のティシューペーパー収納箱積層体の側面図である。
図５は図４の積層体２００を構成する収納箱７の展開図である。
実施形態１と同様、積層体２００は収納箱５個で形成され、その配列は、最下段に収納箱１０が配され、収納箱１０の上面に収納箱９の底面が当接するように収納箱９が積重ねられ、以降同様に収納箱８、収納箱７、収納箱６の順番に積重ねられたものである。
【００２５】
各収納箱の長側面６ｂ、７ｂ、８ｂ、９ｂ、１０ｂには図４に示す通り、まとまりのある第２の図柄として、胸から上の犬の図柄が印刷されている。
本実施形態においては、各収納箱の側面に印刷されている、それぞれの異なる第１の図柄はまとまりのある図柄ではないが、これらが合わさって全体として一つのまとまりのある第２の図柄としての、犬の図柄が形成されている。
【００２６】
また、図５の展開図に示したとおり、収納箱７においては、長側面７ｂに設けられた第１の図柄と連続する、収納箱６の長側面６ｂに設けられた第１の図柄が、上面７ａに設けられている。同様に長側面７ｂに設けられた第１の図柄と連続する収納箱８の長側面８ｂに設けられた第１の図柄が、底面７ｆに設けられている。
詳細には、犬の右耳と右目の部分が側面７ｂに、収納箱６の側面６ｂに印刷されていた左耳、左目及び頭頂部は、上面７ａに、収納箱７の下に位置する収納箱８の側面８ｂに印刷されていた犬の口及び首周りから胴体にかけては、収納箱７の底面７ｆに印刷されている。
つまり、この実施形態２に係る収納箱７においては、収納箱を積重ねた状態では、長側面７ｂに印刷された犬の右耳と右目の部分しか視認出来ないが、上面７ａに左耳、左目及び頭頂部が、底面７ｆに口、首周りから胴体にかけて、印刷されていることによって、単独で存在していても、犬の顔であることが視認出来ることとなる。
従って、単独で存在している場合に、側面のみを視認する限りでは何らまとまりのある図柄ではないが、収納箱７の上面７ａ及び底面７ｆ等を利用することによって、単独で存在している場合でも、ユーザーに強い印象を与えるデザインを設けることが出来る。
また、以上の効果は収納箱７に限られるものではなく、収納箱６、８、９、１０についても収納箱７と同様の構造とすることで、同様の効果を得ることが出来る。
【００２７】
［実施形態３］
次に、実施形態３に係る積層体３００について説明する。
積層体３００を構成する収納箱１１、１２、１３、１４、１５は、長側面に施された図柄が実施形態１の収納箱と異なる。従って、実施形態３を説明するにあたり、上記実施形態１と同様の構成については、同一の符号を付し、説明は省略する。
図６は本願発明の実施形態３のティシューペーパー収納箱積層体の側面図である。
【００２８】
実施形態１と同様、積層体３００は収納箱５個で一組が形成され、その配列は、最下段に収納箱１５が配され、収納箱１５の上面に収納箱１４の底面が当接するように収納箱１４が積重ねられ、以降同様に収納箱１３、収納箱１２、収納箱１１の順番に積重ねられたものである。
【００２９】
各収納箱の長側面１１ｂ、１２ｂ、１３ｂ、１４ｂ、１５ｂには図６に示す通り、まとまりのある第２の図柄として、薔薇の図柄が印刷されている。
本実施形態においては、各収納箱の側面に印刷されている、それぞれの異なる第１の図柄はまとまりのある図柄ではないが、これらが合わさって全体として一つのまとまりのある第２の図柄としての、薔薇の図柄が形成されている。
しかし、それぞれの異なる第１の図柄はまとまりのある図柄ではないものの、抽象的な模様として認識されるに足りる図柄でもある。
つまり、この実施形態３に係る収納箱１１、１２、１３、１４、１５においては、複数個積重ねられた状態では薔薇の図柄が視認されることによって店頭陳列時にユーザーの気を強く惹くものであって、また、単独で存在していても、抽象的なデザインとして見映えが良く、外観性を維持することが出来る。
【００３０】
［実施形態４］
次に、実施形態４に係る積層体４００について説明する。
積層体４００を構成する収納箱１６、１７、１８、１９、２０は、長側面に施された図柄が実施形態１の収納箱と異なる。従って、実施形態４を説明するにあたり、上記実施形態１と同様の構成については、同一の符号を付し、説明は省略する。
図７は本願発明の実施形態４のティシューペーパー収納箱積層体の側面図である。
【００３１】
実施形態１と同様、積層体は収納箱５個で形成され、その配列は、最下段に収納箱２０が配され、収納箱２０の上面に収納箱１９の底面が当接するように収納箱１９が積重ねされ、以後同様に収納箱１８、収納箱１７、収納箱１６の順番に積重ねられたものである。
【００３２】
各収納箱の長側面１６ｂ、１７ｂ、１８ｂ、１９ｂ、２０ｂには、図７に示す通り、まとまりのある第２の図柄として、草花、木の実、鳥や小人図柄が印刷されている。
本実施形態においては、各収納箱の側面に印刷されている、それぞれの異なる第１の図柄がまとまりのある図柄を形成しており、さらにそれらが合わさって全体としてもまとまりのある第２の図柄を形成している。
つまり、この実施形態４に係る収納箱１６、１７、１８，１９、２０においては、複数個積重ねられた状態では草花、木の実、鳥や小人の図柄が視認されることによって、店頭陳列時にユーザーの気を強く惹くものであって、また単独で存在していても、草花、木の実、鳥や小人の図柄を認識することが出来、まとまったデザインとして見映えが良く、外観性を損ねるものではない。
【図面の簡単な説明】
【００３３】
【図１】本願発明の実施形態１のティシューペーパー収納箱積層体の側面図である。
【図２】使用状態のティシューペーパー収納箱を示す斜視図である。
【図３】図２のティシューペーパーの収納箱の展開図である。
【図４】本願発明の実施形態２のティシューペーパー収納箱積層体の側面図である。
【図５】図４の積層体２００を構成する収納箱７の展開図である。
【図６】本願発明の実施形態３のティシューペーパー収納箱積層体の側面図である。
【図７】本願発明の実施形態４のティシューペーパー収納箱積層体の側面図である。
【図８】従来のティシューペーパーの収納箱積層体の側面図である。
【符号の説明】
【００３４】
１〜２０      収納箱
１ａ、７ａ    上面
１ｂ〜２０ｂ、１ｃ、７ｃ  長側面
１ｄ、７ｄ、１ｅ、７ｅ  短側面
１ｆ、７ｆ    底面
１００        積層体
１０１        取出し口
１０２        フィルム
１０３        開口部
１０４        ティシューペーパー
２００        積層体
３００        積層体
４００        積層体
【図１】
2005153898.tif 000003
【図２】
2005153898.tif 000004
【図３】
2005153898.tif 000005
【図４】
2005153898.tif 000006
【図５】
2005153898.tif 000007
【図６】
2005153898.tif 000008
【図７】
2005153898.tif 000009
【図８】
2005153898.tif 000010